(57)【要約】【課題】インクミストなどの異物を移動させる気流発生部を備える記録装置において、該気流発生部が発生させた気流により該異物が該気流の流路に溜まり、該流路に溜まった該異物が落下等して被記録媒体に付着して該被記録媒体を汚すことを抑制する。【解決手段】基体部６と、基体部６に設けられる気流発生部２６と、開口部３１を有し、該開口部３１から気流発生部２６までの気流の流路を構成するダクト２８と、を備え、ダクト２８は、基体部６に対して着脱可能である。【選択図】図３
2015182229.tif 000002
【特許請求の範囲】
【請求項１】
基体部と、
前記基体部に設けられる気流発生部と、
開口部を有し、該開口部から前記気流発生部までの気流の流路を構成するダクトと、を備え、
前記ダクトは、前記基体部に対して着脱可能であることを特徴とする記録装置。
【請求項２】
請求項１に記載の記録装置において、
前記開口部と前記気流発生部との間に設けられるフィルターを備え、
前記フィルターは、前記基体部に対して着脱可能であることを特徴とする記録装置。
【請求項３】
請求項２に記載の記録装置において、
前記ダクトを前記フィルターよりも先に前記基体部から取り外すことが可能に構成されていることを特徴とする記録装置。
【請求項４】
請求項２又は３に記載の記録装置において、
前記フィルターを前記ダクトよりも先に前記基体部から取り外すことが可能に構成されていることを特徴とする記録装置。
【請求項５】
請求項２から４のいずれか１項に記載の記録装置において、
前記ダクトと前記フィルターとをまとめて前記基体部から取り外すことが可能に構成されていることを特徴とする記録装置。
【請求項６】
請求項１から５のいずれか１項に記載の記録装置において、
前記基体部は、被記録媒体にインクを吐出するノズル形成面を有し、
前記開口部は、前記ノズル形成面に対して面一に構成されていることを特徴とする記録装置。
【請求項７】
請求項２から４のいずれか１項に記載の記録装置において、
前記フィルターと前記気流発生部との間に圧力検出部を備えることを特徴とする記録装置。
【発明の詳細な説明】
【技術分野】
【０００１】
本発明は、記録装置に関する。
【背景技術】
【０００２】
従来から、インクミストなどの異物を移動させる気流発生部を備える記録装置が使用されている。例えば、特許文献１及び特許文献２には、気流発生部としてのファンと、気流の流路を構成するダクトと、インクミストなどの異物を捕捉するためのフィルターと、を備える記録装置が開示されている。
【先行技術文献】
【特許文献】
【０００３】
【特許文献１】特開２０１０−５８４４１号公報
【特許文献２】米国特許第５７７４１４１号明細書
【発明の概要】
【発明が解決しようとする課題】
【０００４】
しかしながら、特許文献１及び特許文献２で開示されるような、気流発生部、ダクト及びフィルターを有する従来の記録装置においては、インクミストなどの異物が、フィルターだけでなくダクト内にも溜まり、ダクト内に溜まった該異物が被記録媒体に落下するなどして付着して該被記録媒体を汚す場合があった。
【０００５】
そこで、本発明の目的は、インクミストなどの異物を移動させる気流発生部を備える記録装置において、該被記録媒体を汚すことを抑制することである。
【課題を解決するための手段】
【０００６】
上記課題を解決するための本発明の第１の態様の記録装置は、基体部と、前記基体部に設けられる気流発生部と、開口部を有し、該開口部から前記気流発生部までの気流の流路を構成するダクトと、を備え、前記ダクトは、前記基体部に対して着脱可能であることを特徴とする。
【０００７】
本発明の第２の態様の記録装置は、前記第１の態様において、前記開口部と前記気流発生部との間に設けられるフィルターを備え、前記フィルターは、前記基体部に対して着脱可能であることを特徴とする。
【０００８】
本発明の第３の態様の記録装置は、前記第２の態様において、前記ダクトを前記フィルターよりも先に前記基体部から取り外すことが可能に構成されていることを特徴とする。
【０００９】
本発明の第４の態様の記録装置は、前記第２又は第３の態様において、前記フィルターを前記ダクトよりも先に前記基体部から取り外すことが可能に構成されていることを特徴とする。
【００１０】
本発明の第５の態様の記録装置は、前記第２から第４のいずれか１つの態様において、前記ダクトと前記フィルターとをまとめて前記基体部から取り外すことが可能に構成されていることを特徴とする。
【００１１】
本発明の第６の態様の記録装置は、前記第１から第５のいずれか１つの態様において、前記基体部は、被記録媒体にインクを吐出するノズル形成面を有し、前記開口部は、前記ノズル形成面に対して面一に構成されていることを特徴とする。
【００１２】
本発明の第７の態様の記録装置は、前記第１から第６のいずれか１つの態様において、前記フィルターと前記気流発生部との間に圧力検出部を備えることを特徴とする。
【発明の効果】
【００１３】
本発明によれば、インクミストなどの異物が前記ダクトに溜まったら、該ダクトを前記基体部から外して清掃又は交換等することができる。したがって、該異物が前記被記録媒体に付着して該被記録媒体を汚すことを抑制することができる。
【図面の簡単な説明】
【００１４】
【図１】本発明の実施例１に係る記録装置を表す概略側面図。
【図２】本発明の実施例１に係る記録装置のブロック図。
【図３】本発明の実施例１に係る記録装置のキャリッジを表す概略斜視図。
【図４】本発明の実施例１に係る記録装置のキャリッジを表す概略側面図。
【図５】本発明の実施例１に係る記録装置のキャリッジを表す概略側面図。
【図６】本発明の実施例１に係る記録装置のキャリッジを表す概略平面図。
【図７】本発明の実施例１に係る記録装置のキャリッジを表す概略正面図。
【図８】本発明の実施例１に係る記録装置のキャリッジを表す概略正面断面図。
【図９】本発明の実施例１に係る記録装置のミスト回収部を表す概略斜視図。
【図１０】本発明の実施例１に係る記録装置のミスト回収部を表す概略斜視図。
【図１１】本発明の実施例１に係る記録装置のミスト回収部を表す概略斜視図。
【図１２】本発明の実施例１に係る記録装置のミスト回収部を表す概略斜視図。
【図１３】本発明の実施例１に係る記録装置のミスト回収部を表す概略斜視図。
【図１４】本発明の実施例１に係る記録装置のミスト回収部を表す概略斜視図。
【図１５】本発明の実施例１に係る記録装置のフィルターを表す概略斜視図。
【図１６】本発明の実施例１に係る記録装置のフィルターを表す概略斜視図。
【図１７】本発明の実施例２に係る記録装置を表す概略斜視図。
【図１８】本発明の実施例２に係る記録装置を表す概略斜視図。
【図１９】本発明の実施例２に係る記録装置のミスト回収部を表す概略側面図。
【図２０】本発明の実施例２に係る記録装置のミスト回収部を表す概略斜視図。
【発明を実施するための形態】
【００１５】
以下に、本発明の一実施例に係る記録装置について、添付図面を参照して詳細に説明する。  
［実施例１］（図１〜図１６）  
最初に、本発明の実施例１に係る記録装置の概要について説明する。  
図１は、本実施例に係る記録装置１の概略側面図である。
【００１６】
本実施例の記録装置１は、記録を行うためのロール状の被記録媒体ＰのロールＲ１を支持する支持軸２を備えている。そして、本実施例の記録装置１は、被記録媒体Ｐを搬送方向Ａに搬送する際、支持軸２は回転方向Ｃに回転する。なお、本実施例では被記録面が外側になるように巻かれているロール式の被記録媒体Ｐを使用しているが、被記録面が内側になるように巻かれているロール式の被記録媒体Ｐを使用する場合は、支持軸２の回転方向Ｃとは逆回転してロールＲ１を送り出すことが可能である。  
また、本実施例の記録装置１は被記録媒体Ｐとしてロール式の被記録媒体を使用しているが、このようなロール式の被記録媒体を使用する記録装置に限定されない。例えば、単票式の被記録媒体を用いてもよい。
【００１７】
また、本実施例の記録装置１は、被記録媒体Ｐを搬送方向Ａに搬送するための、搬送ローラー対８を有する搬送機構７を備えている。  
なお、媒体支持部３の下部には、媒体支持部３に支持された被記録媒体Ｐを加熱可能な不図示のヒーターが設けられている。このように、本実施例の記録装置１は、媒体支持部３側から被記録媒体Ｐを加熱可能なヒーターを備えているが、媒体支持部３と対向する位置に設けられる赤外線ヒーター等を備えていてもよい。赤外線ヒーターを用いる場合、好ましい赤外線の波長は０．７６〜１０００μｍである。一般的に、赤外線は波長によってさらに、近赤外線、中赤外線、遠赤外線に区分され、区分の定義は様々であるが、おおよそ波長域は、０．７８〜２．５μｍ、２．５〜４．０μｍ、４．０〜１０００μｍとなる。なかでも中赤外線を用いることが好ましい。
【００１８】
また、本実施例の記録装置１は、被記録媒体Ｐの搬送方向Ａと交差する方向Ｂに記録部としての記録ヘッド４をキャリッジ６に搭載して往復走査させつつ、複数のノズルが設けられたノズル形成面の該ノズルからインクを吐出して記録する記録機構５を備えている。  
本実施例のキャリッジ６は記録ヘッド４からインクを吐出する際に発生するインクミストを回収するミスト回収部２５（図３参照）を備えているが、その詳細ついては後述する。
【００１９】
また、記録機構５の被記録媒体Ｐの搬送方向Ａにおける下流側には、被記録媒体ＰをロールＲ２として巻き取り可能な巻取軸１０が備えられている。なお、本実施例では被記録面が外側になるように巻かれているロール式の被記録媒体Ｐを使用しているので、被記録媒体Ｐを巻き取る際、巻取軸１０は回転方向Ｃに回転する。一方、被記録面が内側になるように巻かれているロール式の被記録媒体Ｐを使用する場合は、回転方向Ｃとは逆回転して巻き取ることが可能である。
【００２０】
また、媒体支持部３における被記録媒体Ｐの搬送方向Ａにおける下流側の端部と、巻取軸１０と、の間には、被記録媒体Ｐとの接触部が方向Ｂに延設され、被記録媒体Ｐに所望のテンションを付与することが可能なテンションバー９が設けられている。
【００２１】
次に、本実施例の記録装置１における電気的な構成について説明する。  
図２は、本実施例の記録装置１のブロック図である。  
制御部１１には、記録装置１の全体の制御を司るＣＰＵ１２が設けられている。ＣＰＵ１２は、システムバス１３を介して、ＣＰＵ１２が実行する各種制御プログラム等を格納したＲＯＭ１４と、データを一時的に格納可能なＲＡＭ１５と接続されている。
【００２２】
また、ＣＰＵ１２は、システムバス１３を介して、記録ヘッド４を駆動するためのヘッド駆動部１７と接続されている。  
また、ＣＰＵ１２は、システムバス１３を介して、キャリッジモーター１９、搬送モーター２０、送出モーター２１、巻取モーター２２及びファンモーター１６と接続される、モーター駆動部１８と接続されている。  
ここで、キャリッジモーター１９は、記録ヘッド４を搭載したキャリッジ６を方向Ｂに移動させるためのモーターである。また、搬送モーター２０は、搬送機構７に設けられた搬送ローラー対８を駆動するためのモーターである。また、送出モーター２１は、支持軸２の回転機構であり、被記録媒体Ｐを搬送機構７に送出するために支持軸２を駆動するモーターである。また、巻取モーター２２は、巻取軸１０を回転させるための駆動モーターである。そして、ファンモーター１６は、ミスト回収部２５のファン２６（図３参照）を回転させるための駆動モーターである。  
さらに、ＣＰＵ１２は、システムバス１３を介して、記録データ等のデータ及び信号の送受信を行うためのＰＣ２４と接続される、入出力部２３と接続されている。
【００２３】
次に、ミスト回収部２５が設けられたキャリッジ６、並びに、該ミスト回収部２５について説明する。  
図３は本実施例のキャリッジ６の概略斜視図であり、図４及び図５は各々異なる方向から見たキャリッジ６の概略側面図であり、図６は本実施例のキャリッジ６の概略平面図であり、図７は本実施例のキャリッジ６の概略正面図である。そして、図８は本実施例のキャリッジ６の概略正面断面図である。  
また、図９から図１１は本実施例のミスト回収部２５ａの概略斜視図であり、図１２から図１４は図９から図１１とは異なる方向から見た本実施例のミスト回収部２５ａの概略斜視図である。そして、図１５及び図１６は各々異なる方向から見たフィルター２７の概略斜視図である。
【００２４】
図３から図８で表されるように、本実施例のキャリッジ６には、方向Ｂの両端部分にミスト回収部２５（ミスト回収部２５ａ及び２５ｂ）が設けられている。ミスト回収部２５ａ及び２５ｂは、共に、気流発生部としてのファン２６と、基体部としてのキャリッジ６の固定部３２に対して着脱可能なフィルター２７と、固定部３２に対して着脱可能なダクト２８と、を有している。  
なお、図３から図１４では、ファン２６の羽根部分は省略されて記載されている。
【００２５】
ミスト回収部２５ａ及び２５ｂは、図８で表されるように、ファン２６が発生させる吸引力によりダクト２８内に方向Ｄの気流を発生させることが可能な構成になっている。そして、図７及び図８で表されるように、ダクト２８は、記録ヘッド４のノズル形成面Ｆと略面一となる位置に配置される開口部３１を有しており、開口部３１から周りの空気を吸引することが可能な構成になっている。開口部３１はダクト２８によりファン２６より流路が絞られ、流速が速くなりミストを効率よく吸引することができる。  
なお、ミスト回収部２５ａ及び２５ｂは、ダクト２８の形状が多少異なること以外は同様の構成である。
【００２６】
本実施例の記録装置１は、キャリッジ６の方向Ｂの両端部分にミスト回収部２５を設けているので、キャリッジ６が方向Ｂのどちらに移動する際においても移動方向の下流側において周りの空気を吸引可能である。このため、効率的にインクミストを回収することが可能である。ただし、このような構成に限定されず、キャリッジ６の方向Ｂの一方の端部にミスト回収部２５を設ける構成などとしてもよい。
【００２７】
また、ミスト回収部２５ａ及び２５ｂは、ダクト２８からファン２６までの気流の流路の途中においてフィルター２７が配置するように構成されている。このため、開口部３１から吸引したインクミストなどの異物をフィルター２７で回収することができる。  
本実施例のフィルター２７は、図１１及び図１４で表されるように、固定部３２に対して搬送方向Ａに沿ってスライドさせて着脱可能である。このため、フィルター２７を洗浄することによりフィルター２７で回収した異物を取り除くことができるとともに、フィルター２７を簡単に交換することができる。
【００２８】
なお、ダクト２８内に開口部３１を介して吸引されたインクミストなどの異物の大部分はフィルター２７で回収されるが、一部、ダクト２８内に付着する。本実施例のダクト２８は、図１０及び図１３、並びに、図１１及び図１４で表されるように、固定部３２に対して搬送方向Ａに沿ってスライドさせて着脱可能である。このため、ダクト２８を洗浄することによりダクト２８に付着した異物を取り除くことができるとともに、ダクト２８を簡単に交換することができる。
【００２９】
なお、ミスト回収部２５ａ及び２５ｂは、搬送方向Ａにおいて固定部３２、フィルター２７、ダクト２８の順に構成されており、ダクト２８に設けられた孔部３０からフィルター２７に設けられたつまみ２９が覗き出るように構成されている。このような構成により、図１０及び図１３で表されるように固定部３２に対してダクト２８のみを取り外すことができるほか、図１１及び図１４で表されるように固定部３２に対してダクト２８とフィルター２７とをまとめて取り外すことができる。
【００３０】
上記のように、本実施例の記録装置１は、基体部としてのキャリッジ６と、キャリッジ６に設けられる気流発生部としてのファン２６と、開口部３１を有し、該開口部３１からファン２６までの気流の流路を構成するダクト２８と、開口部３１とファン２６との間に設けられるフィルター２７と、を備えている。そして、ダクト２８は、キャリッジ６に対して着脱可能である。  
このため、本実施例の記録装置１は、インクミストなどの異物がダクト２８に溜まったら、該ダクト２８をキャリッジ６から外して清掃又は交換等することができる構成になっている。したがって、該異物が被記録媒体Ｐに付着して該被記録媒体Ｐを汚すことを抑制することができる。  
なお、本実施例の記録装置１における前記基体部は、インクを吐出して記録する記録部（記録ヘッド４）を備えたキャリッジ６であるが、記録装置１を構成するフレーム部分や外装部分であってもよい。
【００３１】
また、上記のように、本実施例のフィルター２７は、キャリッジ６に対して着脱可能である。  
このため、本実施例の記録装置１は、インクミストなどの異物がフィルター２７に溜まったら、該フィルター２７をキャリッジ６から外して清掃又は交換等することができる。したがって、該異物が被記録媒体Ｐに付着して該被記録媒体Ｐを汚すことを効果的に抑制することができる。
【００３２】
また、上記のように、本実施例の記録装置１は、図１０及び図１３で表されるように、ダクト２８をフィルター２７よりも先にキャリッジ６から取り外すことが可能に構成されている。  
このため、本実施例の記録装置１は、フィルター２７だけをキャリッジ６から外して清掃又は交換等し、ダクト２８の清掃又は交換等を行わないことによって、ダクト２８に溜まったインクミストなどの異物が被記録媒体Ｐに付着して該被記録媒体Ｐを汚すことを抑制することができる。
【００３３】
ただし、ダクト２８をフィルター２７よりも先に基体部から取り外すことが可能であるとともに、フィルター２７をダクト２８よりも先に基体部から取り外すことが可能な構成であってもよい。また、ダクト２８をフィルター２７よりも先に基体部から取り外すことが可能であるとともに、ダクト２８とフィルター２７とをまとめて基体部から取り外すことが可能な構成であってもよい。さらに、ダクト２８をフィルター２７よりも先に基体部から取り外すことが可能であるとともに、フィルター２７をダクト２８よりも先に基体部から取り外すこと及びダクト２８とフィルター２７とをまとめて基体部から取り外すことが可能な構成であってもよい。
【００３４】
一方、フィルター２７をダクト２８よりも先に基体部から取り外すことが可能に構成されていてもよい。  
このような構成であれば、例えば、フィルター２７がダクト２８よりも汚れやすい構成等においてフィルター２７をダクト２８よりも短い期間で清掃又は交換等を行わなければならない場合の操作性を向上することができる。  
また、フィルター２７をダクト２８よりも先に基体部から取り外すことが可能であるとともに、ダクト２８とフィルター２７とをまとめて基体部から取り外すことが可能な構成であってもよい。
【００３５】
また、上記のように、本実施例の記録装置１は、図１１及び図１４で表されるように、ダクト２８とフィルター２７とをまとめてキャリッジ６から取り外すことが可能に構成されている。  
このため、本実施例の記録装置１は、ダクト２８とフィルター２７とをまとめてキャリッジ６から取り外す際の操作性を向上している。
【００３６】
また、上記のように、本実施例のキャリッジ６は、図７及び図８で表されるように、被記録媒体Ｐにインクを吐出するノズル形成面Ｆを有し、開口部３１は、ノズル形成面Ｆに対して略面一に構成されている。すなわち、キャリッジ６はノズル形成面Ｆを有する記録ヘッド４を備えており、キャリッジ６にともに設けられた、該記録ヘッド４のノズル形成面Ｆと、ダクト２８の開口部３１とが、略面一に構成されている。  
このため、キャリッジ６を方向Ｂに移動させた場合等のノズル形成面Ｆから開口部３１に向かう気流が発生した場合に、該気流が乱流となることを抑制している。したがって、インクミスト等が被記録媒体Ｐに付着して該被記録媒体Ｐを汚すことや、インクミスト等がノズル形成面Ｆに付着してインクの吐出不良を招くこと等を、抑制している。  
なお、記録ヘッド４のノズル形成面Ｆとダクト２８の開口部３１とが面一である構成として、本実施例のキャリッジ６のように、開口部３１がノズル形成面Ｆに対して、厳密な意味で面一に構成されていない構成であってもよい。例えば、ノズル形成面Ｆから開口部３１に向かう気流が発生した場合に該気流が乱流とならない程度にずれている構成であってもよい。
【００３７】
なお、フィルター２７と気流発生部としてのファン２６との間に圧力検出部をさらに備えていてもよい。  
このような構成であれば、前記圧力検出部の検出結果から、フィルター２７の付け忘れの検出や、フィルター２７の交換時期の検出等が可能になるためである。
【００３８】
［実施例２］（図１７〜図２０）  
次に、実施例２の記録装置について、添付図面を参照して詳細に説明する。  
図１７及び図１８は本実施例の記録装置１の概略斜視図であり、図１７はカバー部３３を閉じた状態を表し、図１８はカバー部３３を開けて一のミスト回収部３４を構成するフィルター３６とダクト３７とを取り外した状態を表している。また、図１９は本実施例のミスト回収部３４の概略側面図である。また、図２０は本実施例のミスト回収部３４の概略斜視図であり、図２０（Ａ）はフィルター３６がダクト３７にセットされた状態を表し、図２０（Ｂ）及び図２０（Ｃ）はフィルター３６がダクト３７から取り外された状態を表している。なお、上記実施例と共通する構成部材は同じ符号で示しており、詳細な説明は省略する。  
なお、本実施例の記録装置１は、図１７及び図１８では巻取軸１０及びテンションバー９が取り外されているが、キャリッジ６にミスト回収部２５が設けられる代わりに記録装置１の外装部分３８にミスト回収部３４が設けられている以外は、実施例１の記録装置１と同様の構成である。
【００３９】
本実施例の記録装置１は、図１７で表されるように、外装部分３８に、方向Ｂに沿って４つミスト回収部３４が設けられている。これらのミスト回収部３４は、いずれも同様な構成であり、基体部としての外装部分３８に対して固定されたファン３５、外装部分３８に対して着脱可能なフィルター３６及びダクト３７を有している。
【００４０】
なお、本実施例のフィルター３６及びダクト３７は、記録装置１に対して、図２０（Ａ）で表されるようにフィルター３６をダクト３７にセットした状態で、図１８及び図１９で表されるように着脱可能である。
【００４１】
また、図２０（Ａ）から図２０（Ｃ）で表されるように、ダクト３７は、ダクト２８と同様、開口部３９を有しており、ファン３５による吸引力により開口部３９から周りの空気を吸引することが可能な構成になっている。そして、図１９で表されるように、フィルター３６は、ファン３５による吸引力によりダクト３５内に発生する方向Ｅの気流の流路において、開口部３９とファン３５との間に配置される。
【００４２】
本実施例の記録装置１は、このような構成により、実施例１の記録装置１と同様、インクミストなどの異物が被記録媒体Ｐに付着して該被記録媒体Ｐを汚すことを抑制することができる構成になっている。
【００４３】
なお、本発明は上記実施例に限定されることなく、特許請求の範囲に記載した発明の範囲内で種々の変形が可能であり、それらも本発明の範囲内に含まれることは言うまでもない。  
例えば、上記実施例１及び実施例２の記録装置１は、共にフィルターをミスト回収部に設けているが、フィルターを備えない構成の記録装置であってもよい。  
以上、本発明について具体的な実施例に基づいて詳述した。ここで、本発明について、もう一度まとめて説明する。
【００４４】
本発明の第１の態様の記録装置１は、基体部６及び３８と、基体部６及び３８に設けられる気流発生部２６及び３５と、開口部３１及び３９を有し、該開口部３１及び３９から気流発生部２６及び３５までの気流の流路を構成するダクト２８及び３７と、を備え、ダクト２８及び３７は、基体部６及び３８に対して着脱可能であることを特徴とする。
【００４５】
ここで、「基体部」とは、記録装置１を構成するフレーム部分や外装部分のほか、例えば、インクを吐出して記録する記録部を備えたキャリッジ等も含む意味である。  
本態様によれば、ダクト２８及び３７は、基体部６及び３８に対して着脱可能である。このため、インクミストなどの異物がダクト２８及び３７に溜まったら、該ダクト２８及び３７を基体部６及び３８から外して清掃又は交換等することができる。したがって、該異物が被記録媒体Ｐに付着して該被記録媒体Ｐを汚すことを抑制することができる。
【００４６】
本発明の第２の態様の記録装置１は、前記第１の態様において、開口部３１及び３９と気流発生部２６及び３５との間に設けられるフィルター２７及び３６を備え、フィルター２７及び３６は、基体部６及び３８に対して着脱可能であることを特徴とする。
【００４７】
本態様によれば、フィルター２７及び３６は、基体部６及び３８に対して着脱可能である。このため、インクミストなどの異物がフィルター２７及び３６に溜まったら、該フィルター２７及び３６を基体部６及び３８から外して清掃又は交換等することができる。したがって、該異物が被記録媒体Ｐに付着して該被記録媒体Ｐを汚すことを効果的に抑制することができる。
【００４８】
本発明の第３の態様の記録装置１は、前記第２の態様において、ダクト２８及び３７をフィルター２７及び３６よりも先に基体部６及び３８から取り外すことが可能に構成されていることを特徴とする。
【００４９】
本態様によれば、ダクト２８及び３７をフィルター２７及び３６よりも先に基体部６及び３８から取り外すことが可能に構成されている。このため、フィルター２７及び３６だけを基体部６及び３８から外して清掃又は交換等し、ダクト２８及び３７の清掃又は交換等を行わないことによって、ダクト２８及び３７に溜まったインクミストなどの異物が被記録媒体Ｐに付着して該被記録媒体Ｐを汚すことを抑制することができる。
【００５０】
本発明の第４の態様の記録装置１は、前記第２又は第３の態様において、フィルター２７及び３６をダクト２８及び３７よりも先に基体部６及び３８から取り外すことが可能に構成されていることを特徴とする。
【００５１】
本態様によれば、フィルター２７及び３６をダクト２８及び３７よりも先に基体部６及び３８から取り外すことが可能に構成されている。このため、フィルター２７及び３６がダクト２８及び３７よりも汚れやすい構成等においてフィルター２７及び３６をダクト２８及び３７よりも短い期間で清掃又は交換等を行わなければならない場合の操作性を向上することができる。
【００５２】
本発明の第５の態様の記録装置１は、前記第２から第４のいずれか１つの態様において、ダクト２８及び３７とフィルター２７及び３６とをまとめて基体部６及び３８から取り外すことが可能に構成されていることを特徴とする。
【００５３】
本態様によれば、ダクト２８及び３７とフィルター２７及び３６とをまとめて基体部６及び３８から取り外すことが可能に構成されている。このため、ダクト２８及び３７とフィルター２７及び３６とをまとめて基体部６及び３８から取り外す際の操作性を向上することができる。
【００５４】
本発明の第６の態様の記録装置１は、前記第１から第５のいずれか１つの態様において、基体部６は、被記録媒体Ｐにインクを吐出するノズル形成面Ｆを有し、開口部３１は、ノズル形成面Ｆに対して面一に構成されていることを特徴とする。
【００５５】
本態様によれば、開口部３１は、ノズル形成面Ｆに対して面一に構成されている。すなわち、基体部６はノズル形成面Ｆを有する記録部４を備えており、基体部６にともに設けられた、該記録部４のノズル形成面Ｆと、ダクト２８の開口部３１とが、面一に構成されている。このため、ノズル形成面Ｆから開口部３１に向かう気流が発生した場合に、該気流が乱流となることを抑制できる。したがって、インクミスト等が被記録媒体Ｐに付着して該被記録媒体Ｐを汚すことや、インクミスト等がノズル形成面Ｆに付着してインクの吐出不良を招くこと等を、抑制することができる。  
なお、「開口部３１は、ノズル形成面Ｆに対して面一に構成されている」とは、開口部３１がノズル形成面Ｆに対して、厳密な意味で面一に構成されている構成のほか、ノズル形成面Ｆから開口部３１に向かう気流が発生した場合に該気流が乱流とならない程度にずれている構成も含む意味である。
【００５６】
本発明の第７の態様の記録装置１は、前記第１から第６のいずれか１つの態様において、フィルター２７及び３６と気流発生部２６及び３５との間に圧力検出部を備えることを特徴とする。
【００５７】
本態様によれば、フィルター２７及び３６と気流発生部２６及び３５との間に圧力検出部を備える。このため、前記圧力検出部の検出結果から、フィルター２７及び３６の付け忘れの検出や、フィルター２７及び３６の交換時期の検出等が可能になる。
【符号の説明】
【００５８】
１  記録装置、２  支持軸、３  媒体支持部、４  記録ヘッド、５  記録機構、
６  キャリッジ（基体部）、７  搬送機構、８  搬送ローラー対、９  テンションバー、
１０  巻取軸、１１  制御部、１２  ＣＰＵ、１３  システムバス、１４  ＲＯＭ、
１５  ＲＡＭ、１６  ファンモーター、１７  ヘッド駆動部、１８  モーター駆動部、
１９  キャリッジモーター、２０  搬送モーター、２１  送出モーター、
２２  巻取モーター、２３  入出力部、２４  ＰＣ、
２５、２５ａ、２５ｂ  ミスト回収部、２６  ファン（気流発生部）、
２７  フィルター、２８  ダクト、２９  つまみ、３０  孔部、３１  開口部、
３２  固定部、３３  カバー部、３４  ミスト回収部、３５  ファン（気流発生部）、
３６  フィルター、３７  ダクト、３８  外装部分（基体部）、３９  開口部、
Ｆ  ノズル形成面、Ｐ  被記録媒体、Ｒ１  被記録媒体のロール、
Ｒ２  被記録媒体のロール
【図１】
2015182229.tif 000003
【図２】
2015182229.tif 000004
【図３】
2015182229.tif 000005
【図４】
2015182229.tif 000006
【図５】
2015182229.tif 000007
【図６】
2015182229.tif 000008
【図７】
2015182229.tif 000009
【図８】
2015182229.tif 000010
【図９】
2015182229.tif 000011
【図１０】
2015182229.tif 000012
【図１１】
2015182229.tif 000013
【図１２】
2015182229.tif 000014
【図１３】
2015182229.tif 000015
【図１４】
2015182229.tif 000016
【図１５】
2015182229.tif 000017
【図１６】
2015182229.tif 000018
【図１７】
2015182229.tif 000019
【図１８】
2015182229.tif 000020
【図１９】
2015182229.tif 000021
【図２０】
2015182229.tif 000022